(57)【要約】【課題】取り外したレンズキャップを撮影に影響を与えずに保持する。【解決手段】レンズ鏡筒１５に設けられたキャップ保持装置１４は、レンズキャップ１３、ケース本体３３、ボビン３４、ゼンマイバネ３５、紐４０から構成されている。ボビン３４はケース本体３３に回転自在に収納されている。ゼンマイバネ３４は一端をボビン３４に固定され、他端はケース本体３３に固定されている。紐４０は、一端をボビン３４に固定され、他端は貫通孔３６から外部に引き出されてレンズキャップ１３に結ばれている。レンズキャップ１３が取り外されると、ゼンマイバネ３５は内周を拡径される。これにより、ボビン３４に紐４０が巻き取られ、接合部４６が突起４５に接合し、レンズキャップ１３がケース本体３３に接触させて保持される。【選択図】図２
2008242127.tif 000002
【特許請求の範囲】
【請求項１】
撮影レンズを保護するために前記撮影レンズまたはカメラボディに着脱自在に取り付けられるレンズキャップを保持するキャップ保持装置において、
前記レンズキャップに一端が取り付けられる紐状部材と、
前記紐状部材の他端が取り付けられ、前記紐状部材を巻き取り収納する巻取部材と、
前記巻取部材を回転自在に保持する保持本体と、
前記巻取部材を巻き取り方向に回転して前記紐状部材を前記巻取部材に巻き取って、前記撮影レンズまたは前記カメラボディから外された前記レンズキャップを前記保持本体に接触させて保持する巻取機構とを備えることを特徴とするキャップ保持装置。
【請求項２】
前記保持本体を、内筒および外筒を有するケース本体から構成し、
前記巻取部材を、前記内筒と前記外筒との間に取り付けられ、前記紐状部材を外周面に巻き取るボビンから構成し、
前記巻取機構は、前記ボビンと前記内筒との間に設けられるゼンマイバネから構成されていることを特徴とする請求項１記載のキャップ保持装置。
【請求項３】
前記紐状部材が通過する貫通孔を前記ケース本体の下部に有することを特徴とする請求項２記載のキャップ保持装置。
【請求項４】
撮影レンズを保護するために前記撮影レンズまたはカメラボディに着脱自在に取り付けられるレンズキャップを保持するキャップ保持装置において、
前記撮影レンズまたは前記カメラボディに一端が取り付けられる紐状部材と、
前記紐状部材の他端が取り付けられ、前記紐状部材を巻き取り収納する巻取部材と、
前記巻取部材を回転自在に保持し、前記レンズキャップに取り付けられる保持本体と、
前記巻取部材を巻き取り方向に回転して前記紐状部材を前記巻取部材に巻き取り、前記撮影レンズまたは前記カメラボディから外された前記レンズキャップを前記紐状部材の一端の取り付け部分に接触させて保持する巻取機構とを備えることを特徴とするキャップ保持装置。
【請求項５】
前記保持本体を、筒部材およびこの筒部材の内側に設けられた内側部材を有するケース本体から構成し、
前記巻取部材を、前記内側部材と前記筒部材との間に取り付けられ、前記紐部材を外周面に巻き取るボビンから構成し、
前記巻取機構は、前記ボビンと前記内側部材との間に設けられるゼンマイバネから構成されていることを特徴とする請求項４記載のキャップ保持装置。
【請求項６】
前記ゼンマイバネに取り付けられ、前記ゼンマイバネの伸縮に応じて前記レンズキャップの半径方向で移動し、前記紐状部材が巻き取られたときに前記撮影レンズまたは前記カメラボディに係止し、前記紐状部材が引き出されたときには前記係止を解除する位置になる複数の係止爪を有することを特徴とする請求項５記載のキャップ保持装置。
【発明の詳細な説明】
【技術分野】
【０００１】
本発明は、撮影レンズを保護するために撮影レンズまたはカメラボディに取り付けられるレンズキャップを保持するキャップ保持装置に関するものである。
【背景技術】
【０００２】
通常、撮影レンズが組み込まれたレンズ鏡胴の先端には、撮影レンズを保護するレンズキャップが着脱自在に取り付けられている。レンズキャップはカメラボディやレンズ鏡胴に紐で連結されており、撮影時などレンズキャップを取り外しても紛失しないようになっている。しかし、取り外したレンズキャップは、カメラボディやレンズ鏡胴から紐でぶら下がった状態となるため、撮影画像にレンズキャップの影などが写り込む（ケラレ）ことや、撮影操作の邪魔になることがあった。
【０００３】
そのため、特許文献１に記載のレンズキャップは、バンド状の紐部材が挿通される本体取付穴状部とキャップ取付部とが一体に形成され、さらに、レンズキャップの内側中心部には突状部が形成されており、レンズ鏡胴から取り外されたレンズキャップは突状部をキャップ取付部に嵌着させてレンズキャップを紐部材に固定している。また、特許文献２に記載のプロジェクタ装置では、電源コード巻取り装置に巻き取られる電源コードの先端部にレンズキャップが取り付けられており、電源コードの巻取り終了時にレンズキャップがレンズを保護可能な位置に移動するようになっている。
【特許文献１】実開平５−８３７３５号公報
【特許文献２】特開平１０−３１９５０５号公報
【発明の開示】
【発明が解決しようとする課題】
【０００４】
しかしながら、特許文献１では、撮影者が自らキャップ取付部に突状部を嵌着しなければならない。そのため、レンズキャップを取り外してから撮影操作に移るまでの時間がかかってしまう。さらに、撮影中にレンズキャップに衝撃が加えられて突起部の嵌着が外れた場合などは、撮影者はその度にレンズキャップを固定し直さなければならない。また、特許文献２では、ズームやフォーカスを行うためのレンズ移動用のモータを用いて電源コードの巻上げを行っている。そのため、モータを電源コードの巻上げ機構とレンズ移動機構との間で移動させるための機構が設けられている。これにより、部品点数が増加し、組立て性や小型化の点で問題があった。さらに、レンズ移動機構から巻上げ機構にモータを移動させるために時間がかかるという問題もある。
【０００５】
本発明は、上記課題を解決するためになされたものであり、撮影レンズまたはカメラボディから取り外されたレンズキャップを撮影に支障をきたさないように容易に保持できるキャップ保持装置を提供することを目的とする。
【課題を解決するための手段】
【０００６】
本発明は、撮影レンズを保護するために前記撮影レンズまたはカメラボディに着脱自在に取り付けられるレンズキャップを保持するキャップ保持装置において、前記レンズキャップに一端が取り付けられる紐状部材と、前記紐状部材の他端が取り付けられ、前記紐状部材を巻き取り収納する巻取部材と、前記巻取部材を回転自在に保持する保持本体と、前記巻取部材を巻き取り方向に回転して前記紐状部材を前記巻取部材に巻き取って、前記撮影レンズまたは前記カメラボディから外された前記レンズキャップを前記保持本体に接触させて保持する巻取機構とを備えることを特徴とするものである。
【０００７】
また、前記保持本体を、内筒および外筒を有するケース本体から構成し、前記巻取部材を、前記内筒と外筒との間に取り付けられ、前記紐状部材を外周面に巻き取るボビンから構成し、前記巻取機構は、前記ボビンと前記内筒との間に設けられるゼンマイバネから構成されていることが好ましい。
【０００８】
また、前記紐状部材が通過する貫通孔を前記ケース本体の下部に有することが好ましい。
【０００９】
また、撮影レンズを保護するために前記撮影レンズまたはカメラボディに着脱自在に取り付けられるレンズキャップを保持するキャップ保持装置において、前記撮影レンズまたは前記カメラボディに一端が取り付けられる紐状部材と、前記紐状部材の他端が取り付けられ、前記紐状部材を巻き取り収納する巻取部材と、前記巻取部材を回転自在に保持し、前記レンズキャップに取り付けられる保持本体と、前記巻取部材を巻き取り方向に回転して前記紐状部材を前記巻取部材に巻き取り、前記撮影レンズまたは前記カメラボディから外された前記レンズキャップを前記紐状部材の一端の取り付け部分に接触させて保持する巻取機構とを備えることを特徴とするものである。
【００１０】
また、前記保持本体を、筒部材及びこの筒部材の内側に設けられた内側部材とを有するケース本体から構成し、前記巻取部材を、前記筒部材と前記内側部材との間に取り付けられ、前記紐部材を外周面に巻き取るボビンから構成し、前記巻取機構は前記ボビンと前記内側部材との間に設けられるゼンマイバネから構成されていることが好ましい。
【００１１】
また、前記ゼンマイバネに取り付けられ、前記ゼンマイバネの伸縮に応じて前記レンズキャップの半径方向で移動し、前記紐状部材が巻き取られたときに前記撮影レンズまたは前記カメラボディに係止し、前記紐状部材が引き出されたときには前記係止を解除する位置になる複数の係止爪を有することが好ましい。
【発明の効果】
【００１２】
本発明によれば、撮影レンズまたはカメラボディからレンズキャップが取り外されると巻取機構によって紐状部材が巻取部材に自動的に巻き取られ、レンズキャップを保持本体に接触させた状態で保持されるので、紐状部材がもつれることや、レンズキャップが原因で撮影画像にケラレが発生することを防止できる。
【００１３】
また、ゼンマイバネを用いて、ケース本体の内筒と外筒の間に取り付けられたボビンに紐状部材を巻き取るようにしたので、キャップ保持装置を小型化することもできる。これにより、例えば、ケース本体をレンズ鏡胴の外周面に設けることができる。また、ゼンマイバネの付勢力によって紐状部材をボビンにスムーズ巻き取ることができる。
【００１４】
また、貫通孔をケース本体の下部に設けたので、レンズキャップをケース本体に接触させて保持しても撮影画像にケラレが発生することや、撮影操作に支障をきたすことがない。
【００１５】
また、巻取部材および巻取機構を備えた保持本体がレンズキャップに設けられており、撮影レンズまたはカメラボディからレンズキャップが取り外されると、巻取機構によって紐状部材が巻取部材に自動的に巻き取られ、撮影レンズまたはカメラボディに一端が取り付けられた紐状部材の取り付け部分にレンズキャップが接触して保持されるので、紐状部材のもつれることや、レンズキャップが原因で撮影画像にケラレが発生することを防止できる。さらに、保持されたレンズキャップが撮影操作に支障をきたすことがない。
【００１６】
保持本体を筒部材と内側部材とを有するケース本体から構成し、筒部材と内側部材との間にボビンを取り付け、ボビンと内側部材との間にゼンマイバネを設けたので、ゼンマイバネの付勢力によって紐上部材をスムーズにボビンに巻き取ることができる。
【００１７】
また、ゼンマイバネに取り付けられ、ゼンマイバネの伸縮に応じてレンズキャップの半径方向に移動し、紐状部材が巻き取られたときに撮影レンズまたはカメラボディに係止し、紐状部材が引き出されたときには係止を解除する位置になる複数の係止爪を有したので、レンズキャップを固定する機構を別途設ける必要がない。よってコストが削減できる。
【発明を実施するための最良の形態】
【００１８】
カメラシステム１０は、図１に示すように、カメラボディ１１と、レンズユニット１２とを備えて構成されており、レンズユニット１２は、カメラボディ１１に着脱自在に装着される。また、このレンズユニット１２の外周面には、その先端から取り外されたレンズキャップ１３を保持するキャップ保持装置１４が設けられている。
【００１９】
レンズユニット１２は、レンズ鏡胴１５、レンズ側マウント部１６、キャップ保持装置１４等から構成されている。レンズ鏡胴１５は円管状をしており、その前面から撮影レンズ１８が露呈している。また、反対側の端部にはレンズ側マウント部１６が設けられている。レンズ側マウント部１６は、接点を有するバヨネット爪１９を備えている。また、レンズ鏡胴１５の長手方向の略中心付近には、レンズ鏡胴１５を内側に嵌め込んだリング状のキャップ保持装置１４が設けられている。さらに、レンズ鏡胴１５には、レンズ側マウント部１６の背後に撮影レンズ１８によって結像された被写体像を撮像する撮像素子であるＣＣＤ（図示せず）が設けられている。
【００２０】
カメラボディ１１の前面には、本体側マウント部２０が設けられており、この本体側マウント部２０には、バヨネット溝２１が形成されている。前述のレンズユニット１２をカメラボディ１１に装着する場合、バヨネット爪１９をバヨネット溝２１に位置合わせして押し込み、時計回りに回転させることによって、レンズユニット１２がカメラボディ１１に装着される。なお、レンズユニット１２は交換式のレンズユニットであり、このレンズユニット１２としては、撮影レンズ１８の焦点距離が異なるものや、ＣＣＤの画素数が異なるもの、モノクロ撮影が可能なもの、赤外線撮影が可能なもの等の複数種類のレンズユニットが用意される。
【００２１】
また、本体側マウント部２０にはロックピン２５が設けられており、レンズユニット１２がカメラボディ１１に装着された時に、このロックピン２５がレンズ側マウント部１６に形成されたピン孔（図示せず）と係合して、レンズユニット１２の回転がロックされる。このため、レンズユニット１２がカメラボディ１１から脱落することが防止される。さらに、本体側マウント部２０には前方にバネ付勢されたマウント蓋２６が設けられており、レンズユニット１２が装着されていない時にカメラボディ１１内に塵埃が侵入することを防止できる。
【００２２】
また、本体側マウント部２０の近傍には、ロック解除ボタン２７が設けられている。レンズユニット１２がカメラボディ１１に装着されている時に、このロック解除ボタン２７が押圧操作されると、この操作に連動してロックピン２５が後方に移動し、ロックピン２５とピン孔との係合が解除される。このため、ロック解除ボタン２７を押圧しながらレンズユニット１２を回転させることによって、レンズユニット１２をカメラボディ１１から取り外すことができる。
【００２３】
さらに、本体側マウント部２０の近傍には、ストロボ発光部３０が設けられている。また、カメラボディ１１の上面には撮影時に押圧操作されるレリーズボタン３１と、撮影モードと再生モードとを切り替える時に回転操作される切り替えダイヤル３２とが設けられている。また、図示しないが、背面にはＬＣＤや電源スイッチなどが設けられている。
【００２４】
図２〜図４に示すように、キャップ保持装置１４は、ケース本体３３、ボビン３４、ゼンマイバネ３５から構成されている。ケース本体３３（保持本体）は内筒３３ａと外筒３３ｂとを有しており、その内筒３３ａの内側はレンズ鏡胴１５の外周面に当接して固定されている。また、外筒３３ｂには、外部とケース本体３３内とを貫通させた貫通孔３６が形成されている。この貫通孔３６は、レンズユニット１２がカメラボディ１１に装着された際に真下を向くように配置されている。
【００２５】
ボビン３４（巻取部材）は、図２に示すように光軸に平行な断面形状がＨ型をしており、内筒３３ａと外筒３３ｂとの間に設けられている。そして、ボビン３４は内筒３３ａの外周面に沿って回動自在である。図２及び図４にも示すように、ボビン３４の外径側に設けられた外側凹部３４ａには、紐４０（紐状部材）の一端が固定されている。図３に示すように、紐４０は外側凹部３４ａに反時計方向（巻取り方向）に巻き付けられており、他端は貫通孔３６からケース本体３３の外部に引き出されてレンズキャップ１３に固定されている。なお、ボビン３４に固定される紐４０の固定方法としては、ボビン３４に紐４０の端部を挿通させる孔を形成し、この孔に挿通させた紐４０を結んでボビン３４に固定することが好ましいが、紐４０の固定方法はこれに限るものではない。また、紐４０の長さはレンズ鏡胴１５の長さや、キャップ保持装置１４の設置位置に応じて適宜に設定することが好ましい。
【００２６】
レンズキャップ１３は、例えば樹脂やゴムなどによって円盤状に形成されている。レンズキャップ１３の一方の面１３ａには、レンズ鏡胴１５の先端部１５ａが嵌め込まれる嵌込み溝４１が形成されている。さらに、図示しないがレンズキャップ１３の外周の一部には紐４０を通す孔が形成されている。そして、この孔にはケース本体３３の貫通孔３６から引き出された紐４０の他端が通されて結ばれている。また、詳しくは後述するが、紐４０が結ばれている孔の近傍で、かつレンズキャップ１３の外周面には貫通孔３６に設けられた突起４５に接合する接合部４６が形成されている。
【００２７】
ボビン３４の内径側に設けられた内側凹部３４ｂとケース本体３３との間にはゼンマイバネ３５（巻取機構）が設けられている。ゼンマイバネ３５は、外側の一端を内側凹部３４ｂに固定し、内側の他端は内筒３３ａの外周面に固定している。このとき、ゼンマイバネ３５は撮影レンズ１８側から見て反時計回りに巻かれている（以下、回転方向の説明は撮影レンズ１８側から見た状態で説明する）。例えば図示しないが、ゼンマイバネ３５の端部とボビン３４および内筒３３ａとの固定方法は、ゼンマイバネ３５の端部に形成された挿通穴にネジを挿通し、このネジを内筒およびボビン３４に形成されたネジ穴に螺合させているが、ゼンマイバネ３５の固定方法としてはこれに限るものではない。
【００２８】
図２に示すように、レンズキャップ１３がレンズ鏡筒１５の先端１５ａから取り外されている場合には、ゼンマイバネ３５の内周が拡径するように付勢力が働いている。また、ボビン３４に巻き取られている紐４０が引き出され、ボビン３４が時計方向に回転されるとゼンマイバネ３５の内周が縮径する。このように、縮径されたゼンマイバネ３５が元の内周の大きさに戻ろうとする付勢力によってボビン３４が反時計方向に回転され、引き出された紐４０がボビン３４の外側凹部３４ａに巻き取られる。
【００２９】
図２及び図３に示すように、レンズキャップ１３が先端１５ａから取り外されて、引き出された紐４０がボビン３４の外側凹部３４ａに巻き取られると、レンズキャップ１３に設けられた接合部４６が貫通孔３６に進入し、ケース本体３３内に設けられている突起４５と接合する。この突起４５は貫通孔３６から露呈しており、接合部４６が接合されることでレンズキャップ１３をキャップ保持装置１４の下部に当接させた状態で保持する。なお、突起３６としては矩形状、円形状や台形状など貫通孔３６に進入した接合部４６と接合し易い形状であればよい。
【００３０】
レンズキャップ１３をレンズ鏡胴１５の先端１５ａに取り付ける際に、ケース本体３３から紐４０を引っ張り出すとゼンマイバネ３５の付勢力に逆らってボビン３４が時計方向に回転される。そして、紐４０を十分な長さまで引き出し、嵌込み溝４１にレンズ鏡筒１５の先端１５ａを嵌め込む。このようにレンズキャップ１３がレンズ鏡筒１５の先端１５ａに取り付けられると、ゼンマイバネ３５は再び内周を拡径するように変形してボビン３４に付勢力を付与するので、余分に引き出された紐４０がボビン３４に巻き取られる。このように、ボビン３４はゼンマイバネ３５によって常に反時計方向（巻取り方向）に付勢力が与えられているので、レンズキャップ１３とボビン３４とを連結している紐４０には常にテンションが与えられている。
【００３１】
また、本発明のキャップ保持装置１４では、ボビン３４に巻き付けられている紐４０が外部に引き出される場合、図４に示すように、ボビン３４の内側が内筒３３ａの上方の外周面に摺接する。また、紐４０をボビン３４に巻き取る場合やレンズキャップ１３がケース本体３３の下部に当接して保持されている場合は、図２に示すように、ボビン３４の内側が内筒３３ａの下方の外周面に摺接する。このように、ボビン３４は内筒３３ａによって回転がガイドされている。
【００３２】
上記のように、レンズキャップ１３がレンズ鏡胴１５の先端１５ａから取り外されると、ゼンマイバネ３５の付勢力によって紐４０が自動的にボビン３４に巻き取られ、キャップ保持装置１４の下部に接触した状態でレンズキャップ１３が保持されるので、撮影操作に支障をきたすことがなく、撮影画像にケラレが発生することを防止できる。また、レンズキャップ１３とボビン３４とを連結している紐４０には、ゼンマイバネ３４によって常にテンションが与えられており、紐４０がもつれたり絡まったりすることを防止できる。さらにまた、レンズ鏡胴１５の周囲にキャップ保持装置１４を設けることで、キャップ保持装置１４を小型化、薄型化でき、デザイン性も向上した。
【００３３】
また、上記実施形態では、レンズ鏡胴１５に撮影レンズ１８および撮像素子が組み込まれたレンズユニット１２にキャップ保持装置１４を設けたが、これに限らず、焦点距離の異なる撮影レンズだけを備えた交換式のレンズ鏡胴や、カメラボディから突出したレンズ鏡胴一体型のカメラや、撮影レンズ１８がカメラボディの内部に組み込まれているカメラなどに本発明のキャップ保持装置１４を設けてもよい。
【００３４】
なお、上記実施形態では、貫通孔３６に突起４５を設け、レンズキャップ１３に接合部４６を設けたが、突起４５および接合部４６は適宜に設けることが好ましい。
【００３５】
なお、上記実施形態では巻取機構としてゼンマイバネ３５を用いたが、これに限らず捩りバネやゴムなどの伸縮自在な弾性部材やモータなどのアクチュエータを用いてもよい。例えば、ゼンマイバネ３５の代わりにモータを設けた場合は、図５に示すように、キャップアダプタ４９に設けられたボビン３４の周縁にギア５０を形成する。このギア５０は、モータ５１の回転軸５２に設けられた駆動ギア５３と嵌合され、モータ５１が駆動されることによってボビン３４がレンズ鏡胴１５の外周に沿って回転する。
【００３６】
モータ５１はカメラボディ１１のＣＰＵ５４によって制御される。レンズユニット１２がカメラボディ１１に装着されると、レンズ用マウント部１６と本体側マウント部２０が電気的に接続される。これによりカメラボディ１１によって電源のオンや、撮影モードの設定などの予め決められた所定条件が満たされると、ＣＰＵ５４はモータ５１を回転させる。これにより、ケース本体３３内から引き出された紐４０がボビン３４に巻き取られる。なお、電源がオンからオフにされた場合や、撮影モードから再生モードに切り替えられた場合には、ＣＰＵ５４はモータの駆動を停止させるので、ボビン３４に巻き取られていた紐４０を引っ張り出し、レンズキャップ１３をレンズ鏡胴１５の先端１５ａに取り付けることができる。
【００３７】
このように、モータ５１を用いて紐４０の巻き取りを行う場合には、カメラユニット１０の状態に応じてＣＰＵ５４がモータ５１の駆動を制御することで、カメラユニット１０の状態に応じて自動で紐４０の巻き取りを行うことができる。
【００３８】
なお、モータ５１によって紐４０をボビン３４に巻き取る場合は、レンズ鏡胴１５の先端１５ａにレンズキャップ１３の着脱を検出するセンサを設けてもよい。この場合、このセンサによってレンズキャップ１３が先端１５ａから取り外されたことが検出されると、ＣＰＵ５４はモータ５１を駆動させて紐４０をボビン３４に巻き取るようにしてもよい。また、ＣＰＵ５４によってモータ５１を逆転（時計方向に回転）させて紐４０をケース本体３３から引き出すようにしてもよい。
【００３９】
また、上記実施形態では、レンズ鏡胴１５の外周面にキャップ保持装置１４が固定されていたが、第２の実施形態としては、図６に示すように撮影レンズ１８やＣＣＤなどがレンズ鏡胴１５に組み込まれたレンズユニット６０とカメラボディ１１との間にキャップ保持装置６１を装着する。なお、上記実施形態と同様の構成部材には同じ符号を付してその説明は省略する。
【００４０】
キャップ保持装置６１は、ケース本体３３の一方の面にレンズ側マウント部１６を装着させる前側マウント部６５が設けられている。前側マウント部６５にはバヨネット溝６６が形成されている。また、他方の面にはカメラボディ１１に設けられた本体側マウント部２０に装着する後側マウント部６７が設けられている。後側マウント部６７はレンズ側マウント部１６と同様に接点が設けられており、レンズユニット６０とカメラボディ１１とを電気的に接続する。これにより、レンズユニット６０とカメラボディ１１とはキャップ保持装置６１を介して電気的に接続される。
【００４１】
また、ケース本体３３内で前側マウント部６５と後側マウント部６７との間には、前述のキャップ保持装置１４と同様にボビン３４、ゼンマイバネ３５、およびボビン３４に巻き付けられた紐４０が設けられている。ボビン３４はケース本体６２の内筒６２ａと外筒６２ｂとの間で光軸Ｌを中心に回転自在に設けられている。また、外筒３３ｂに形成された貫通孔３４から紐４０の一端が引き出されレンズキャップ１３に結ばれている。
【００４２】
キャップ保持装置６１を介してレンズユニット６０とカメラボディ１１とを一体に固定した際に、レンズキャップ１３をレンズ鏡胴１５の先端１５ａに取り付ける場合、レンズキャップ１３を引っ張ってボビン３４に巻き付けられている紐４０を引き出し、嵌込み溝４１に先端１５ａを嵌め込んでレンズキャップ１３を取り付ける。このとき、ゼンマイバネ３５は縮径された内周を拡径させるように変形してボビン３４に付勢力を付与するので、紐４０には適度なテンションが与えられる。従って、紐４０のもつれや引っかかりを防止できる。また、撮影を行う時に撮影者が先端１５ａからレンズキャップ１３を取り外すと、ゼンマイバネ３５の付勢力によってボビン３４が回転され、紐４０はボビン３４に巻き取られる。これにより、レンズキャップ１３の接合部４６が貫通孔３４からケーシング６１内に進入し、突起４５に接合される。よって、レンズキャップ１３がキャップ保持装置６１の下部に接触した状態で保持される。
【００４３】
このように、レンズユニット６０とカメラボディ１１との間にキャップ保持装置６１を装着したので、レンズユニット６０またはカメラボディ１１にレンズキャップ１３が設けられていない場合でも、キャップ保持装置６１に設けられたレンズキャップ１３を用いて撮影レンズ１８を保護することができる。さらに、取り外されたレンズキャップ１３が撮影操作に支障をきたすこともなく、撮影画像にケラレが発生することも防止できる。
【００４４】
上記、第１の実施形態では紐４０を巻き取るボビン３４やゼンマイバネ３５を備えたキャップ保持装置１４をレンズ鏡胴１５の外周に設け、第２実施形態ではレンズユニット６０とカメラボディ１１との間にキャップ保持装置６２を設けたが、第３実施形態ではレンズキャップにキャップ保持装置を設けた場合を説明する。
【００４５】
図７〜図９に示すように、レンズキャップ６８には、キャップ保持装置６９が設けられている。レンズキャップ６８は略コの字形状をしており、凹部にキャップ保持装置６９が嵌め込まれている。キャップ保持装置６９は、ケース本体７０、ボビン７１、ゼンマイバネ７２、紐４０、係止爪８０，８１から構成されている。
【００４６】
ケース本体７０は、筒部材７４の一方の端面が塞がれており、筒部材７４の内側にはボビン７１やゼンマイバネ７２が収納される収納部７３が設けられている。この収納部７３の中央には円柱形状の挿入部材７５（内側部材）が設けられている。また、筒部材７４の下部には、外部と収納部７３とを連通させる貫通孔８４が設けられている。
【００４７】
ボビン７１（巻取部材）は、薄板でリング状の基板７１ａと、この基板７１ａの一方の面に筒状の突出部７１ｂが一体に形成されており、基板７１ａの中央に形成された開口７１ｃは、ボビン７１を収納室７３に嵌め込んだ際に挿入部材７５に挿入される。突出部７１ｂは、その直径が基板７１ａよりも小さくなっており、突出部７１ｂの外周に基板７１ａの縁部が突出している。この時、ボビン７１は収納部７３内で挿入部材７５の外周に沿って回転自在となっている。
【００４８】
図７及び図９（Ａ）に示すように、収納部７３にボビン７１が嵌め込まれた後、ゼンマイバネ７２が突出部７１ｂと挿入部材７５の間に嵌め込まれる。このとき、ゼンマイバネ７２は挿入部材７５の外周に一端が固定され、突出部７１ｂの内側に他端が固定される。ゼンマイバネ７２の端部の固定方法は、ゼンマイバネ７２の端部に形成された挿通孔（図示せず）にネジ７６を挿通させ、挿入部材７５および突出部７１ｂに形成されたネジ孔（図示せず）にネジ７６を螺合している。
【００４９】
図９に示すように、ゼンマイバネ７２には２本の係止爪８０、８１が固定されている。係止爪８０、８１はレンズ鏡胴１５の内面に形成された係止溝８２に係止してレンズキャップ６８をレンズ鏡胴１５の先端１５ａに固定するためのものである。そのため、係止爪８０、８１はレンズキャップ６８の中心から略同じ半径の円周上に配置されるようにゼンマイバネ７２に固定されている。
【００５０】
ボビン７１の突出部７１ｂの外周面には紐４０の一端が結ばれ、反時計方向に巻き取られている。他端はケース本体７０に形成された貫通孔８４、およびこの貫通孔８４に合わせてレンズキャップ６８に形成された開口８５を介して外部に引き出され、レンズ鏡胴１５の外周面に結ばれている。
【００５１】
図７及び図９（Ａ）に示すように、レンズキャップ６８がレンズ鏡胴１５の先端１５ａに取り付けられている場合には、ゼンマイバネ７２は内周を拡径する付勢力を付与している。これにより、係止爪８０，８１は係止溝８２に押し付けられ、係止爪８０，８１と係止溝８２とが係止した係止位置となる。よって、レンズキャップ６８はレンズ鏡胴１５に固定される。
【００５２】
また、図８及び図９（Ｂ）に示すように、ボビン７１に巻き取られた紐４０が引き出されると、ボビン７１が時計方向に回転されることでゼンマイバネ７２は内周を縮径するように変形される。これにより、ゼンマイバネ７２に固定されている係止爪８０，８１は縮径に伴って回転しながらレンズキャップ６８の半径方向で中央に向かって移動する。よって、係止爪８０，８１は図７に示す係止位置から図８に示す退避位置に移動する。これにより、係止爪８０，８１と係止溝８２との係止が解除されてレンズキャップ６８がレンズ鏡胴１５から取り外される。
【００５３】
また、撮影者が引っ張っていた紐４０を離すと、縮径されていたゼンマイバネ７２は内周を拡径させるように変形する。これにより、ボビン７１は反時計方向に回転され、突出部７１ｂの外周に紐４０が巻き取られるとともに、ゼンマイバネ７２の内周の拡径にともなって係止爪８０，８１は退避位置（図８および図９（Ｂ）参照）から係止位置（図７及び図９（Ａ）参照）の位置に移動する。このように紐４０がボビン７１に巻き取られるので、レンズキャップ６８は紐４０の他端が結ばれているレンズ鏡胴１５の外周面に設けられた取り付け部分に接触した状態で保持される。
【００５４】
レンズキャップ６８をレンズ鏡胴１５の先端１５ａに取り付ける場合には、取り付け部分に保持されているレンズキャップ６８を引っ張る。これにより、ボビン７１に巻き取られていた紐４０が貫通孔８４から引き出されるとともに、図９（Ｂ）に示すように係止爪８０，８１は係止位置から退避位置に移動する。係止爪８０、８１を退避位置に移動させたままの状態で、レンズキャップをレンズ鏡胴１５の先端１５ａに当接させた後、引き出した紐４０を離すとボビン７１に紐４０が巻き取られるとともに、係止爪８０、８１が退避位置から係止位置に移動することで、係止爪８０，８１が係止溝８２に係止されてレンズキャップ６８がレンズ鏡胴１５に取り付けられる。
【００５５】
上記のように、レンズキャップ６８にキャップ保持装置６９を設けたので、レンズ鏡胴１５やカメラボディ１１を小型化できる。さらに、紐４０を引っ張ると係止爪８０，８１が係止位置から退避位置に移動し、紐４０を離すと紐４０がボビン７１に自動的に巻き取られるとともに、係止爪８０，８１が退避位置から係止位置に移動するようにしたので、
紐４０の巻取機構の他にレンズキャップ６８を固定する固定機構を新たに設ける必要がない。よって、コストを削減することができる。さらに、キャップ保持装置６９がレンズキャップ６８に嵌め込まれているので、レンズキャップ６８がレンズ鏡胴１５に取り付けられている場合にキャップ保持装置６９が露呈することがない。よって外観のデザイン性が向上する。
【００５６】
また、ゼンマイバネ７２には係止爪８０、８１を２つ設けたが、これに限らず３つ以上設けてもよい。このように、複数の係止爪を設けることで確実にレンズキャップ６８をレンズ鏡筒１５の先端１５ａに取り付けることができるとともに、取り付けられているレンズキャップ６８にショックが与えられても、簡単に外れることを防止できる。
【００５７】
また、上記実施形態では、ゼンマイバネ７２に係止爪８０，８１を固定し、係止爪８０，８１を係止溝８２に係止させることでレンズキャップ６８をレンズ鏡胴１５の先端１５ａに固定したが、係止爪８０，８１の代わりに図２に示す嵌込み溝４１と同様なものをレンズキャップ６８に設けてもよい。この場合、レンズキャップ６８に設けられるボビン７１、ゼンマイバネ７２、紐４０などは、嵌込み溝４１より内側部分に設けることが好ましい。これにより、レンズ鏡胴１５の先端１５ａを嵌込み溝４１に嵌め込んでレンズキャップ６８を固定した場合、レンズ鏡胴１５の先端１５ａから撮影レンズ１８までの間に設けられたスペースにボビン７１やゼンマイバネ７２などが配置されるので、スペースを有効に活用することができる。
【００５８】
上記各実施形態では、紐を用いてレンズキャップとボビンとを連結していたが、これに限らず、ワイヤーやコード、糸などの紐状の部材であればよい。
【図面の簡単な説明】
【００５９】
【図１】本発明のキャップ保持装置を備えたカメラシステムの構成を示す外観斜視図である。
【図２】レンズキャップをケース本体に保持した状態を示す横断面図である。
【図３】レンズキャップをケース本体に保持した状態を示す縦断面図である。
【図４】レンズキャップをレンズ鏡胴に取り付けた状態を示す横断面図である。
【図５】キャップ保持装置にモータを備えた構成を示す正面斜視図である。
【図６】レンズユニットとカメラボディの間に装着されるキャップ保持装置の構成を示す正面斜視図である。
【図７】係止爪が係止位置にある状態を説明するキャップ保持装置の横断面図である。
【図８】係止爪が退避位置にある状態を説明するキャップ保持装置の横断面図である。
【図９】係止爪の係止位置と退避位置への移動を説明する縦断面図である。
【符号の説明】
【００６０】
１０  カメラシステム
１３  レンズキャップ
１４  キャップ保持装置
１５  レンズ鏡胴
１８  撮影レンズ
３３  ケース本体
３４  ボビン
３５  ゼンマイバネ
３６  貫通孔
４０  紐
５０  ギア
５１  モータ
５４  ＣＰＵ
８０，８１  係止爪
８２  係止溝
【図１】
2008242127.tif 000003
【図２】
2008242127.tif 000004
【図３】
2008242127.tif 000005
【図４】
2008242127.tif 000006
【図５】
2008242127.tif 000007
【図６】
2008242127.tif 000008
【図７】
2008242127.tif 000009
【図８】
2008242127.tif 000010
【図９】
2008242127.tif 000011